(57)【要約】【課題】携帯電話機が複数のＳＩＭカードを有する場合、携帯電話機のサイズおよびコストが増加している。【解決手段】電子システムは、複数のＩ／Ｏインタフェースおよび１つのコントローラを有する。コントローラは、複数のＩ／Ｏインタフェースを介してそれぞれ複数のカードに接続され、複数のカードの中から１枚のカードを選択し、無線通信を行って、選択したカードとターゲット電子デバイスとの間でデータを転送することができる。コントローラは、構成ブロックおよびコアを有する。構成ブロックは、どのカードを選択するかを指示する構成データを格納する。コアは、構成ブロックおよび複数のカードに接続され、無線通信を可能にできる。【選択図】図２
2012181835.tif 000002
【特許請求の範囲】
【請求項１】
電子デバイスであって、
複数の入力／出力（Ｉ／Ｏ）インタフェースと、
前記複数のＩ／Ｏインタフェースを介して複数のカードに接続され、前記複数のカードから１枚のカードを選択可能で、無線通信を行って、選択したカードとターゲット電子デバイスとの間でデータを転送するコントローラと
を備え、前記コントローラが、
前記選択を指示する構成データを格納可能な構成ブロックと、
前記構成ブロックおよび前記複数のカードに接続され、前記無線通信を可能にできるコアと
を備える電子デバイス。
【請求項２】
前記電子デバイスと前記ターゲット電子デバイスとの距離が、前記無線通信の所定の範囲内である、請求項１に記載の電子デバイス。
【請求項３】
前記電子デバイスには携帯電話機を含み、前記複数のカードにはＳＩＭ（Ｓｕｂｓｃｒｉｂｅｒ  Ｉｄｅｎｔｉｔｙ  Ｍｏｄｕｌｅ）カードを含む、請求項１に記載の電子デバイス。
【請求項４】
前記無線通信には、所定の範囲の近距離無線通信（ＮＦＣ）を含む、請求項１に記載の電子デバイス。
【請求項５】
前記構成データを提供可能なプロセッサと、
前記コントローラおよび前記プロセッサに接続され、前記コントローラと前記プロセッサとの間で前記構成データを転送可能な第２のＩ／Ｏと
をさらに備える、請求項１に記載の電子デバイス。
【請求項６】
前記コントローラが、インタフェース選択ブロックをさらに備え、前記インタフェース選択ブロックが、前記コアおよび前記構成ブロックに接続され、前記コアと前記選択したカードとの間で前記データを転送するために、前記複数のＩ／Ｏインタフェースから１つのＩ／Ｏインタフェースを選択できる、請求項１に記載の電子デバイス。
【請求項７】
前記コントローラが、前記電子デバイスの電力状態に基づいて前記選択したカードに電力を供給するために、第１の電力モードと第２の電力モードとを切り替える、請求項１に記載の電子デバイス。
【請求項８】
前記コントローラが、前記第１の電力モードにおいて前記電子デバイスからローカル電力を受け、前記第２の電力モードにおいて前記ターゲット電子デバイスからリモート電力を受ける、請求項７に記載の電子デバイス。
【請求項９】
前記コントローラが、電力管理ブロックをさらに備え、前記電力管理ブロックは、前記ローカル電力および前記リモート電力から選択した入力電力を出力電力に変換するように構成され、かつ前記出力電力を前記選択したカードに供給するように構成される、請求項８に記載の電子デバイス。
【請求項１０】
前記構成データが、前記複数のカードの動作状態を指示し、前記動作状態が、スタンバイ状態およびインアクティブ状態を備える、請求項１に記載の電子デバイス。
【請求項１１】
前記複数のＩ／Ｏインタフェースが、信号線プロトコル（ＳＷＰ）インタフェースを備える、請求項１に記載の電子デバイス。
【請求項１２】
ソース電子デバイスとターゲット電子デバイスとの間のデータ転送を制御するコントローラであって、
前記ソース電子デバイス内の複数のＳＩＭ（Ｓｕｂｓｃｒｉｂｅｒ  Ｉｄｅｎｔｉｔｙ  Ｍｏｄｕｌｅ）カードの中から１枚のＳＩＭカードの選択を指示する構成データを格納可能な構成ブロックと、
前記構成ブロックおよび前記複数のＳＩＭカードに接続され、前記選択したＳＩＭカードと前記ターゲット電子デバイスとの間の無線通信を可能にできるコアと、
前記コアおよび前記構成ブロックに接続され、前記構成データに従ってＩ／Ｏインタフェースを選択して、前記選択したＩ／Ｏインタフェースを介して、前記コアと前記選択したＳＩＭカードとの間でデータを転送可能なインタフェース選択ブロックと
を備えるコントローラ。
【請求項１３】
前記コントローラが、前記ソース電子デバイスの電力状態に基づいて前記選択したＳＩＭカードに電力を供給するために、第１の電力モードと第２の電力モードとを切り替える、請求項１２に記載のコントローラ。
【請求項１４】
前記コントローラが、前記第１の電力モードにおいて前記ソース電子デバイス内のバッテリからローカル電力を受け、前記第２の電力モードにおいて前記ターゲット電子デバイスからリモート電力を受ける、請求項１３に記載のコントローラ。
【請求項１５】
電力管理ブロックをさらに備え、前記電力管理ブロックが、前記ローカル電力および前記リモート電力から選択した入力電力を出力電力に変換するように構成され、かつ前記出力電力を前記選択したＳＩＭカードに供給するように構成される、請求項１４に記載のコントローラ。
【請求項１６】
前記ソース電子デバイスには、携帯電話機を含む、請求項１２に記載のコントローラ。
【請求項１７】
前記無線通信には、所定の範囲の近距離通信を含む、請求項１２に記載のコントローラ。
【請求項１８】
前記構成データが、前記ソース電子デバイスのプロセッサから送られる、請求項１２に記載のコントローラ。
【請求項１９】
前記構成データが、前記複数のＳＩＭカードの動作状態を指示し、前記動作状態が、スタンバイ状態およびインアクティブ状態を備える、請求項１２に記載のコントローラ。
【請求項２０】
前記ソース電子デバイスと前記ターゲット電子デバイスとの距離が、前記無線通信の所定の範囲内である、請求項１２に記載のコントローラ。
【請求項２１】
ソース電子デバイスとターゲット電子デバイスとの間のデータ転送を制御する方法であって、
コントローラ内の構成データにアクセスするステップと、
前記構成データに従って、前記ソース電子デバイス内の複数のＳＩＭ（Ｓｕｂｓｃｒｉｂｅｒ  Ｉｄｅｎｔｉｔｙ  Ｍｏｄｕｌｅ）カードの中から１枚のＳＩＭカードを選択するステップと、
選択したＳＩＭカードに前記ターゲット電子デバイスからリモート電力を供給するステップと、
前記コントローラと前記選択したＳＩＭカードとの間でデータを転送するステップと、
前記コントローラと前記ターゲット電子デバイスとの間で、無線通信によって前記データを転送するステップと
を備える方法。
【請求項２２】
前記ソース電子デバイスのプロセッサから前記構成データを送るステップをさらに備える、請求項２１に記載の方法。
【請求項２３】
前記構成データに基づいて前記複数のＳＩＭカードの動作状態を設定するステップをさらに備え、前記動作状態が、スタンバイ状態およびインアクティブ状態を備える、請求項２１に記載の方法。
【請求項２４】
前記コントローラと前記選択したＳＩＭカードとの間の前記データ転送ステップが、
前記コントローラと前記選択したＳＩＭカードとの間で信号線プロトコル（ＳＷＰ）インタフェースを介して前記データを転送するステップを備える、請求項２１に記載の方法。
【発明の詳細な説明】
【技術分野】
【０００１】
本発明は、電子デバイスに関し、より詳細には、複数のカードをサポートする電子デバイスに関する。
[関連出願の相互参照]
本願は、中華人民共和国国家知識産権局に２０１１年３月１日に出願された「データ転送用の電子デバイス、システムおよび方法（Ａｎ  Ｅｌｅｃｔｒｏｎｉｃ  Ｄｅｖｉｃｅ，  Ｓｙｓｔｅｍ  ａｎｄ  Ｍｅｔｈｏｄ  ｆｏｒ  Ｔｒａｎｓｆｅｒｒｉｎｇ  Ｄａｔａ）」と称する中国特許出願第２０１１１００５１３５５．Ｘ号の優先権を主張するものである。
【背景技術】
【０００２】
携帯電話が広く使用されている。図１は、従来の携帯電話機１００を示す。携帯電話機１００は、プロセッサ１２０、コントローラ１４０、ＳＩＭ（Ｓｕｂｓｃｒｉｂｅｒ  Ｉｄｅｎｔｉｔｙ  Ｍｏｄｕｌｅ）カード１６０、およびアンテナ１８０を有する。アンテナ１８０は、例えば第２の携帯電話機（図１に図示せず）などのターゲット電子デバイスから、情報を受信するために使用することができる。コントローラ１４０は、ホスト１２０およびＳＩＭカード１６０に接続されている。典型的に、コントローラ１４０は、無線通信（例えば、近距離無線通信（ＮＦＣ））を行い、第２の携帯電話機と携帯電話機１００との間のデータ転送を制御するために使用される。例えば、アンテナ１８０は、第２の携帯電話機から送信されたデータを受信し、コントローラ１４０は、そのデータを携帯電話機１００のＳＩＭカード１６０に転送できる。
【発明の概要】
【発明が解決しようとする課題】
【０００３】
コントローラ１４０は、ＳＩＭカード１６０とターゲット電子デバイスとの間の、データ転送を可能にするために使用される。携帯電話機１００が複数のＳＩＭカードを有する場合、複数のコントローラを複数のＳＩＭカードにそれぞれ割り当て、これらのＳＩＭカードとターゲット電子デバイスとの間のデータ転送を可能にしている。その結果、携帯電話機１００のサイズとコストが増加している。
【課題を解決するための手段】
【０００４】
電子システムは、複数のＩ／Ｏインタフェースおよび１つのコントローラを有する。コントローラは、複数のカードにそれぞれ複数のＩ／Ｏインタフェースを介して接続されており、複数のカードの中から１つのカードを選択し、無線通信を行って、選択したカードとターゲット電子デバイスとの間でデータを転送することができる。コントローラは、構成ブロックおよびコアを有する。構成ブロックは、どのカードを選択するかを指示する構成データを格納する。コアは、構成ブロックおよびカードに接続され、無線通信を可能にできる。
【０００５】
特許請求の範囲に記載する発明に関する実施形態の特徴および利点は、図面を参照した以下の詳細説明が進むに連れて、明らかになるであろう。複数の図面において、同じ符号は、同じ要素を表している。
【図面の簡単な説明】
【０００６】
【図１】従来の携帯電話機の図である。
【図２】本発明の一実施形態による電子デバイスの図である。
【図３】本発明の一実施形態による、図２の電子デバイスのコントローラの図である。
【図４】本発明の一実施形態による、ソース電子デバイスとターゲット電子デバイスとの間のデータ転送を制御する方法のフロー図である。
【発明を実施するための形態】
【０００７】
以下、本発明の実施形態について、詳細に説明する。本発明について、これらの実施形態に関して説明するが、本発明をこれらの実施形態に限定するつもりはないことが理解されるであろう。それどころか、本発明は、添付の特許請求の範囲に規定される本発明の精神および範囲内に含みうる代替形態、変更形態、および均等物を包含することを意図している。
【０００８】
本明細書に記載の実施形態は、１つ以上のコンピュータまたは他のデバイスによって実行され、かつ何らかの形態のコンピュータ使用可能媒体に存在する、プログラムモジュールなどのコンピュータ実行可能命令の一般的状況で検討されてもよい。一般に、プログラムモジュールには、特定のタスクを実行するかまたは特定の抽象データ型を実施するルーティン、プログラム、オブジェクト、コンポーネント、データ構造等を含む。プログラムモジュールの機能は、種々の実施形態の求めに応じて、組み合わせまたは分散されてもよい。
【０００９】
以下の詳細説明の幾つかの部分は、コンピュータメモリ内のデータビットに関する手順、論理ブロック、処理、および他の演算の記号表現に関して示す。これらの記述および表現は、データ処理技術の当業者が自分の仕事の中身を他の当業者に最も効果的に伝えるために使用する手段である。本願における手順、論理ブロック、プロセスなどは、所望の結果をもたらすステップまたは命令の首尾一貫したシーケンスと見なされる。これらのステップは、物理量の物理的操作を必要とするものである。必ずというわけではないが普通は、これらの量は、コンピュータシステムの中で格納、転送、組み合わせ、比較、および他の操作をすることができる、電気的信号または磁気的信号の形態をとる。
【００１０】
しかし、上記の用語および類似の用語の全ては、適切な物理量に関係しており、これらの量に付与された単に使い勝手が良いラベルであることに留意すべきである。以下の検討から明らかなように具体的に異なったように述べない限り、本願を通じて「アクセス(accessing)」「選択(selecting)」「転送(transferring)」「送信(sending)」「電力供給(powering)」「設定(setting)」または同種のものなどの用語を使用した説明は、コンピュータシステムのレジスタおよびメモリ内の物理（電気）量として表されるデータを、コンピュータシステムのメモリまたはレジスタもしくは他のそのような情報記憶デバイス、伝送デバイスまたは表示デバイス内の物理量として同様に表される他のデータに操作および変換する、コンピュータシステムまたは類似の電子コンピューティングデバイスの動作およびプロセスを指すと理解されるものである。
【００１１】
限定しない例として、コンピュータ使用可能媒体には、コンピュータ記憶媒体および通信媒体を含んでもよい。コンピュータ記憶媒体には、コンピュータ読み取り可能命令、データ構造、プログラムモジュールまたは他のデータなどの情報を格納する、任意の方法または技術で実装される揮発性および不揮発性、ならびにリムーバブルおよび非リムーバブルの媒体を含む。コンピュータ記憶媒体には、ランダムアクセスメモリ（ＲＡＭ）、リードオンリメモリ（ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリもしくは他のメモリ技術、ＣＤ−ＲＯＭ（Ｃｏｍｐａｃｔ  Ｄｉｓｋ  ＲＯＭ）、ＤＶＤ（Ｄｉｇｉｔａｌ  Ｖｅｒｓａｔｉｌｅ  Ｄｉｓｋ）もしくは他の光記憶媒体、磁気カセット、磁気テープ、磁気ディスク記憶デバイスもしくは他の磁気記憶デバイス、または所望の情報を格納するために使用できる他の任意の媒体を含むが、これらに限定されない。
【００１２】
通信媒体は、コンピュータ読み取り可能命令、データ構造、プログラムモジュールまたは他のデータを、搬送波または他の伝搬メカニズムなどの変調データ信号の中に具体的に表現することができ、あらゆる情報配信媒体を含む。「変調データ信号」という用語は、情報を信号の中に符号化するように、１つ以上のその特性を設定または変更された信号を意味する。限定でなく一例として、通信媒体には、有線ネットワークまたは直通回線接続などの有線媒体と、音響、無線周波数（ＲＦ）、赤外線および他の無線媒体などの無線媒体とを含む。上記のものの任意の組み合わせも、コンピュータ読み取り可能媒体の範囲内に当然含まれる。
【００１３】
さらに、本発明の以下の詳細説明においては、本発明を徹底的に理解してもらうために、数多くの具体的な詳細を記載する。しかし、本発明をこれらの具体的な詳細なしに実施しうることを、当業者は理解するであろう。他の場合には、本発明の態様を不要に分かりにくくしないように、公知の方法、手順、コンポーネントおよび回路は、詳細には説明しない。
【００１４】
本発明による実施形態は、複数のＳＩＭカードをサポートする電子デバイスを提供する。有利なことに、電子デバイスのコントローラは、複数のＳＩＭカードの中から１枚のＳＩＭカードを選択し、無線通信を行って、選択したＳＩＭカードとターゲット電子デバイスとの間でデータを転送することができる。従って、電子デバイスは、コントローラを１つだけ使用して、複数のＳＩＭカードとターゲット電子デバイスとの間のデータ転送を制御することができる。それ故、電子デバイスのサイズおよびコストを節減することができる。
【００１５】
図２は、本発明の一実施形態による電子デバイス２００を示す。図２の例では、電子デバイス２００は、プロセッサ２２０と、コントローラ２４０と、例えばＳＩＭカード２６２および２６４などのカードと、インタフェース２１４および２１６と、アンテナ２８０とを有する。電子デバイス２００は、コンピュータ、携帯電話機、携帯情報端末（ＰＤＡ）などであってもよい。インタフェース２１４および２１６は、ＳＩＭカード２６２および２６４にそれぞれ接続されている。インタフェース２１４および２１６のそれぞれは、一実施形態では、信号インタフェースおよび電力インタフェースを有する。信号インタフェースは、シングルワイヤプロトコル（ＳＷＰ）インタフェースであってもよいが、これに限定されない。
【００１６】
ターゲット電子デバイス（図２に図示せず）は、例えばＮＦＣなどの無線通信によって電子デバイス２００と通信できる。ターゲット電子デバイスは、コンピュータ、携帯電話機、携帯情報端末（ＰＤＡ）、モバイルペイメント終端(mobile payment end)などであってもよい。ターゲット電子デバイスは、コントローラ２４０とのＮＦＣを可能にするためのアンテナを有する。電子デバイス２００とターゲット電子デバイスとの距離は、ＮＦＣに関する所定の範囲内である。図２は、説明目的で２枚のカードを示しているが、本発明は、２枚のカードに限定されない。別の実施形態では、電子デバイス２００は、２枚を超えるカードを有してもよい。
【００１７】
有利なことに、コントローラ２４０は、意図した機能、例えばＮＦＣによるターゲット電子デバイスとのデータ交換などのために、ＳＩＭカード２６２と２６４の中から１枚のＳＩＭカードを選択できる。ターゲット電子デバイスがコンピュータ、携帯電話機、ＰＤＡなどの実施形態において、データは、連絡情報（例えば電話番号）またはファイルであってもよいが、これらに限定されない。ターゲット電子デバイスがモバイルペイメント終端の実施形態では、データは、購入品の支払いでもよいが、これに限定されない。
【００１８】
一実施形態では、コントローラ２４０は、プロセッサ２２０から送られた制御情報に応じて、意図した機能に関するＳＩＭカードを選択する。プロセッサ２２０は、プロセッサインタフェース２１２を介してコントローラ２４０に制御情報を送ることができる。制御情報は、選択したＳＩＭカードとターゲット電子デバイスとの間のデータ転送開始前の、プロセッサ２２０とコントローラ２４０との間のハンドシェイクを可能にできる。制御情報には、意図した機能に関して、ＳＩＭカード２６２と２６４のどちらのＳＩＭカードを選択するかを指示する構成データを含むことができる。コントローラ２４０は、構成データに応じてＳＩＭカードを選択でき、選択したＳＩＭカードとターゲット電子デバイスとの間のデータ交換を可能にできる。
【００１９】
構成データは、一実施形態では、ユーザが設定／決定できる。例えば、ユーザは、電子デバイス２００のタッチスクリーンまたはキーボードによって構成データを設定できる。それに応じて、プロセッサ２２０は、意図した機能に関して、どのＳＩＭカードを選択するかを指示する構成データをコントローラ２４０に送る。
【００２０】
一実施形態では、構成データは、意図した機能に関してどのＳＩＭカードを選択するかを指示するのに加えて、ＳＩＭカードの動作状態、例えばスタンバイ（アクティブ）状態またはインアクティブ状態などを指示する。一実施形態では、スタンバイ状態のＳＩＭカードは、電力の供給を受けて、例えばＮＦＣによるターゲット電子デバイスとのデータ交換などのために、ＳＩＭカードが機能を実行する用意を整えている。一実施形態では、機能が使われていないインアクティブ状態のＳＩＭカードには、電力が供給されない。このような状況から、ＳＩＭカードの中の１枚がスタンバイに起動され、任意の時間に意図した機能に関して選択されるとき、残りのカードは、構成データに基づき、起動または休止されてもよい。
【００２１】
さらに、コントローラ２４０は、電子デバイス２００の電力状態に基づいてＳＩＭカードに電力を供給するために、第１の電力モードと第２の電力モードとを切り替えることができる。一実施形態では、コントローラ２４０は、第１の電力モードではローカル電力を受け、第２の電力モードではアンテナ２８０を介してリモート電力を受ける。これについては、図３に関してさらに説明する。
【００２２】
図３は、本発明の一実施形態による電子デバイス２００のコントローラ２４０を示す。図２と同じ名称の要素は、同様の機能を有する。図３について、図２と合わせて説明する。図３の例では、コントローラ２４０は、電力管理ブロック３４２、インタフェース選択ブロック３４４、コア３４６および構成ブロック３４８を有する。
【００２３】
構成ブロック３４８は、図２のプロセッサ２２０から送られた構成データを格納する。上述のように、構成データは、意図した機能に関してＳＩＭカード２６２と２６４のどちらのＳＩＭカードを選択するかを指示することができ、さらにＳＩＭカードの動作状態も指示することができる。
【００２４】
図２に示すインタフェース２１４の電力インタフェースおよびインタフェース２１６の電力インタフェースは、電力管理ブロック３４２を、それぞれＳＩＭカード２６２および２６４に接続できる。電力管理ブロック３４２は、構成ブロック３４８内の構成データに基づいて、スタンバイＳＩＭカードに電力を供給する。一実施形態では、電力管理ブロック３４２は、入力電力を受け取り、その入力電力を出力電力に変換し、その出力電力によってスタンバイＳＩＭカードに電力を供給する。一実施形態では、入力電力は、電子デバイス２００の電源がオンの時、電子デバイス２００内の例えばバッテリなどの電源から供給される。この場合、入力電力は、電子デバイス２００内で供給されるので、ローカル電力と呼ぶこととする。別の実施形態では、入力電力は、電子デバイス２００の電源がオフまたは電力切れの時、ターゲット電子デバイスから供給される。より具体的には、ターゲット電子デバイスが電子デバイス２００の所定の範囲内にあるとき、コントローラ２４０に接続されたアンテナ２８０が、ターゲット電子デバイスから送信される電力を、例えばアンテナなどによって受けることができる。この場合、入力電力は、ターゲット電子デバイスによって外部から供給されるので、リモート電力と呼ぶこととする。
【００２５】
図２示すインタフェース２１４の信号インタフェースおよびインタフェース２１６の信号インタフェースは、インタフェース選択ブロック３４４を、それぞれＳＩＭカード２６２および２６４に接続する。インタフェース選択ブロック３４４は、構成ブロック３４８内の構成データに従って対応するインタフェースを選択し、選択したインタフェースを介してコア３４６と選択したＳＩＭカードとの間でデータを転送する。
【００２６】
構成ブロック３４８と、電力管理ブロック３４２と、ＳＩＭカード２６２および２６４とに接続されたコア３４６は、無線通信（例えばＮＦＣ）を行って、図２のアンテナ２８０を介してターゲット電子デバイストとデータを交換することができる。こうして、選択したＳＩＭカードとターゲット電子デバイスとの間で、データを転送することができる。一実施形態では、コア３４６は、電力管理ブロック３４２から電力を供給される。
【００２７】
有利なことに、複数のＳＩＭカードとターゲット電子デバイスとの間のデータ転送の制御に、１つのコントローラが使用され、こうして、電子デバイス２００のサイズおよびコストを減少できる。
【００２８】
さらに、電子デバイス２００が電源オフまたは電力切れの時も、電子デバイス２００内のＳＩＭカードとターゲット電子デバイスとの間のデータ転送を、依然として行うことができる。それ故、状況によっては、ユーザにとってより使い易い。例えば、電子デバイス２００が電力切れで、かつユーザが電話を掛ける必要があるとき、コントローラ２４０は、ターゲット電子デバイスからリモート電力を受け取り、通話のための電話番号を格納しているＳＩＭカードに電力を供給し、ＮＦＣによってターゲット電子デバイスに接続する。その結果、ユーザは、ターゲット電子デバイスを使用して電話を掛けることができる。
【００２９】
より具体的には、電子デバイス２００が電力切れの時、電力管理ブロック３４２は、リモート電力を出力電力に変換し、構成ブロック３４８内の構成データに従ってＮＦＣ機能に関して選択したＳＩＭカード（例えば、ＳＩＭカード２６２）にその出力電力を供給する。インタフェース選択ブロック３４４は、構成データに従って対応するインタフェースを選択する。コア３４６は、ＮＦＣを行って、ＳＩＭカード２６２とターゲット電子デバイスとの間でデータを転送することができる。
【００３０】
図４は、本発明の一実施形態による、例えば電子デバイス２００などのソース電子デバイスとターゲット電子デバイスとの間のデータ転送の制御方法のフロー図４００を示す。図４について、図２および図３と合わせて説明する。
【００３１】
ブロック４０２において、インタフェース選択ブロック３４４は、コントローラ２４０内の構成ブロック３４８に格納された構成データにアクセスできる。構成データは、意図した機能に関してＳＩＭカード２６２と２６４のどちらのＳＩＭカードを選択するかを指示し、プロセッサ２２０から送られる。
【００３２】
ブロック４０４では、インタフェース選択ブロック３４４は、構成データに従ってＳＩＭカード２６２と２６４の中から１枚のＳＩＭカードを選択できる。より具体的には、インタフェース選択ブロック３４４は、構成データに従って選択したＳＩＭカードに接続している対応するインタフェースを選択する。
【００３３】
ブロック４０６では、選択されたＳＩＭカードは、ターゲットで電子デバイスからリモート電力を供給される。より具体的には、電子デバイス２００が電力切れの時、電力管理ブロック３４２は、リモート電力を出力電力に変換し、その出力電力を構成データに従って選択したＳＩＭカードに供給する。リモート電力は、図３に関して説明したようにターゲット電子デバイスによって外部から供給される。
【００３４】
ブロック４０８では、選択したインタフェースを介して、選択したＳＩＭカードとコントローラ２４０のコア３４６との間でデータを転送することができる。ブロック４１０では、コア３４６は、無線通信（例えばＮＦＣ）を行って、コントローラ２４０内のコア３４６とターゲット電子デバイスとの間でデータを転送することができる。こうして、電子デバイス２００の中の選択したＳＩＭカードとターゲット電子デバイスとの間で、データを転送することができる。
【００３５】
これまでの説明および図面は本発明の実施形態を表しているが、添付の特許請求の範囲に規定される本発明の原理の精神および範囲から逸脱することなく、これらの実施形態に種々の追加、変更および代替を行いうることが理解されるであろう。本発明の原理から逸脱することなしに特定の環境および動作要件に具体的に適合される、本発明の実践において使用される形態、構造、配置、割合、材料、要素、コンポーネントやその他の多くの変更を行って、本発明を使用しうることを、当業者は理解するであろう。従って、本開示の実施形態は、すべての面において説明であり、限定ではないと見なされるものである。本発明の範囲は、添付の特許請求の範囲およびその法的均等物に示されており、これまでの説明に限定されるものではない。
【符号の説明】
【００３６】
１００  従来の携帯電話機
１２０  プロセッサ
１４０  コントローラ
１６０  ＳＩＭカード
１８０  アンテナ
２００  電子デバイス
２１２  プロセッサインタフェース
２１４  インタフェース
２１６  インタフェース
２２０  プロセッサ
２４０  コントローラ
２６２  ＳＩＭカード１
２６４  ＳＩＭカード２
２８０  アンテナ
３４２  電力管理ブロック
３４４  インタフェース選択ブロック
３４６  コア
３４８  構成ブロック
【図１】
2012181835.tif 000003
【図２】
2012181835.tif 000004
【図３】
2012181835.tif 000005
【図４】
2012181835.tif 000006